(57)【要約】      （修正有）【課題】フレームの歪みを防止して、音質が歪み易くなるのを防止する。【解決手段】第３及び第４ブリッジは、夫々適宜の間隔をおいて、外周部の内側に且つ中心線Ｌ２に略直交する位置に配置されている。第１及び第２ブリッジの両端は、複数の取り付け部に対応する位置に配置されている。かかる構成により、フレーム全体の強度を向上させることができる。また、このフレームをスピーカー装置に適用した場合、その駆動時に、振動板の振動に伴って、その反作用により磁気回路に生じた振動が第１及び第２ブリッジを介して取り付け部に伝達されたときに、その振動はその部分において減衰又は消滅するため、その振動がフレームの外周部の全体に伝達されるのを抑制することができる。その結果、フレーム全体が歪み難くなり、これにより音質が歪み易くなるのを防止することができる。【選択図】    図６
2006229519.tif 000002
【特許請求の範囲】
【請求項１】
磁気回路を収容する磁気回路収容部と、
前記磁気回路収容部の外側に配置された略環状の外周部と、
前記磁気回路収容部と前記外周部とを連結する複数のアーム部と、を備え、
前記複数のアーム部は、２つずつの前記アーム部が直線状に配置されて前記外周部間を連結するブリッジを複数構成し、
前記ブリッジの各々は前記外周部の中心を通過していないことを特徴とするスピーカー装置用のフレーム。
【請求項２】
前記複数のブリッジは少なくとも第１及び第２のブリッジを含み、
前記第１及び第２のブリッジは、前記外周部に内接する三角形の辺に相当する位置に配置されていることを特徴とする請求項１に記載のスピーカー装置用のフレーム。
【請求項３】
前記外周部は、被取付部に取り付けられる複数の取付部を有し、
前記第１及び第２のブリッジの両端は、前記複数の取付部に対応する位置に配置されていることを特徴とする請求項２に記載のスピーカー装置用のフレーム。
【請求項４】
前記第１及び第２のブリッジは前記外周部の中心を通り１つの直径に対応する中心線に対して対称的な位置に配置されており、
前記複数のブリッジは、前記中心線に略直交する位置に配置されたブリッジを含むことを特徴とする請求項２又は３に記載のスピーカー装置用のフレーム。
【請求項５】
前記中心線に略直交する位置に配置されたブリッジは、第３及び第４のブリッジを含み、
前記第３及び前記第４のブリッジは、前記外周部を平面的に見たときに、各々前記外周部の中心を通り且つ前記中心線に直交する垂直線の上側及び下側に設けられていることを特徴とする請求項４に記載のスピーカー装置用のフレーム。
【請求項６】
前記複数の取り付け部は第１乃至第３の取り付け部を含み、
前記外周部を平面的に見たときに、前記第１の取り付け部は時計方向で１２時に対応する位置に、前記第２の取り付け部は時計方向で３時〜６時の間に対応する位置に、前記第３の取り付け部は時計方向で６時〜９時の間に対応する位置に夫々配置されており、
前記第１及び前記第２のブリッジの一端は、各々前記第１の取り付け部に対応する位置に配置されており、
前記第１のブリッジの他端は、前記第３の取り付け部に対応する位置に、前記第２のブリッジの他端は、前記第２の取り付け部に対応する位置に各々配置されていることを特徴とする請求項３に記載のスピーカー装置用のフレーム。
【請求項７】
前記第１のブリッジは、前記第１の取り付け部と前記第３の取り付け部を結ぶ直線上に位置していると共に、前記第２のブリッジは、前記第１の取り付け部と前記第２の取り付け部を結ぶ直線上に位置にしていることを特徴とする請求項６に記載のスピーカー装置用のフレーム。
【請求項８】
前記第１及び前記第２のブリッジは、各々湾曲状に且つアーチ状の形状に形成されていることを特徴とすることを特徴とする請求項２に記載のスピーカー装置用のフレーム。
【請求項９】
請求項１乃至８いずれか一項に記載のスピーカー装置用のフレームを備えるスピーカー装置。
【発明の詳細な説明】
【技術分野】
【０００１】
本発明は、スピーカー装置におけるフレームの構造に関する。
【背景技術】
【０００２】
従来より、フレーム及び振動板等を有する振動系と、ヨーク、マグネット及びプレートを有する磁気回路系とを備えるスピーカー装置が知られている。
【０００３】
そのようなスピーカー装置では、フレームは、例えば椀型の形状を有するように形成されている。そして、このような形状を有するフレームは、磁気回路を保持する磁気回路収容部と、その磁気回路収容部の外側に配置され、エッジの外周部を取り付けるためのエッジ取り付け部を有する外周部と、磁気回路収容部と外周部とを連結する複数のアーム部と、を備えて構成される。
【０００４】
特に、このような構造を有するフレームにおいて、複数のアーム部は、フレームの中心から放射状に外周部に延在するように設けられている。また、かかるフレームにおいて、外周部には、スピーカー装置を、車両のドアのインナーパネル等の被取付部に取り付けるための複数の取り付け部が設けられている。この種の構成を有するフレームの一例が、特許文献１乃至４に記載されている。
【０００５】
特許文献１に係るスピーカーフレームでは、車室内への水の侵入を防止するために、インナーパネルに形成された取付孔に取り付けられる２つの係止フック及び１つの係止クリップを、環状のシール部材の外周縁部より内側に配置するようにしている。また、特許文献２に係るスピーカーフレームでは、その強度向上を図るために、複数のブリッジ部（アーム部）に複数のディンプルを設けるようにしている。また、特許文献３に係るスピーカーフレームでは、その強度を落とさずに振動板背部の開口率を高め、軽量化やコスト低減を図るために、各脚部（アーム部）を柱状に形成すると共に、その各脚部の幅Ｘを、その厚みＹと等しいか、又はその厚みＹより小さくなるように設定している。さらに、特許文献４に係るスピーカーフレームでは、その外周部周縁部に、バッフルやキャビネットに固定するためのネジ貫通孔を設けている。
【０００６】
【特許文献１】特開２００１−３５２５９０号公報
【特許文献２】特開２００２−１２５２９３号公報
【特許文献３】特開２００２−１４２２９０号公報
【特許文献４】特開２００３−３７８９１号公報
【発明の開示】
【発明が解決しようとする課題】
【０００７】
上記のスピーカー装置に係るフレームは、複数のアーム部がフレームの中心から放射状に外周部に延在するように設けられているが、その複数のアーム部とフレームの外周部に設けられた取り付け部とは、有機的な関連性（規則性）を有するように設計されていなかった。
【０００８】
このため、このようなフレームを有するスピーカー装置では、その駆動時、振動板の振動に伴って、その反作用により磁気回路に生じる振動が、複数のアーム部を介してフレームの外周部へ伝達されると、フレームが歪んでしまい、これに起因して音質が歪み易くなってしまうという問題があった。
【０００９】
本発明が解決しようとする課題としては、上記のようなものが例として挙げられる。本発明は、複数のアーム部と被取付部に取り付けられる取り付け部との有機的な関連性（規則性）等を考慮してフレームを設計することにより、フレームの強度向上を図り、フレームの歪みを防止して、音質が歪み易くなるのを防止する可能なスピーカー装置用のフレーム及びそのフレームを用いたスピーカー装置を提供することを課題とする。
【課題を解決するための手段】
【００１０】
請求項１に記載の発明は、スピーカー装置用のフレームであって、磁気回路を収容する磁気回路収容部と、前記磁気回路収容部の外側に配置された略環状の外周部と、前記磁気回路収容部と前記外周部とを連結する複数のアーム部と、を備え、前記複数のアーム部は、２つずつの前記アーム部が直線状に配置されて前記外周部間を連結するブリッジを複数構成し、前記ブリッジの各々は前記外周部の中心を通過していないことを特徴とする。
【発明を実施するための最良の形態】
【００１１】
本発明の１つの実施形態では、スピーカー装置用のフレームは、磁気回路を収容する磁気回路収容部と、前記磁気回路収容部の外側に配置された略環状の外周部と、前記磁気回路収容部と前記外周部とを連結する複数のアーム部と、を備え、前記複数のアーム部は、２つずつの前記アーム部が直線状に配置されて前記外周部間を連結するブリッジを複数構成し、前記ブリッジの各々は前記外周部の中心を通過していない。
【００１２】
上記のスピーカー装置用のフレームでは、磁気回路収容部と外周部とを連結する複数のアーム部のうち２つずつが直線状に配置されて外周部間を連結するブリッジを構成する。即ち、複数のアーム部により複数のブリッジが構成される。ここで、複数のブリッジは外周部の中心を通過しない位置に構成され、外周部に対して外側から加わる応力に対して補強部材として機能し、フレームの強度を向上させる。
【００１３】
上記のフレームの一態様では、前記複数のブリッジは少なくとも第１及び第２のブリッジを含み、前記第１及び第２のブリッジは、前記外周部に内接する三角形の辺に相当する位置に配置されている。この態様では、２つのブリッジを含んで構成される、外周部に内接する三角形により、環状の外周部が内側から補強されることになり、フレームの強度が確実に向上する。
【００１４】
上記のフレームの好適な例では、前記外周部は、被取付部に取り付けられる複数の取付部を有し、前記第１及び第２のブリッジの両端は、前記複数の取付部に対応する位置に配置されている。複数の取付部は車両の取付パネルなどの被取付部に対して固定されるので、ブリッジの両端を取付部と対応させることにより、ブリッジはより確実にフレームの強度を向上させることができる。
【００１５】
上記のフレームの好適な例では、前記第１及び第２のブリッジは前記外周部の中心を通り１つの直径に対応する中心線に対して対称的な位置に配置されており、前記複数のブリッジは、前記中心線に略直交する位置に配置されたブリッジを含む。さらに好適な実施例では、前記中心線に略直交する位置に配置されたブリッジは、第３及び第４のブリッジを含み、前記第３及び前記第４のブリッジは、前記外周部を平面的に見たときに、各々前記外周部の中心を通り且つ前記中心線に直交する垂直線の上側及び下側に設けられる。これにより、フレームは複数のブリッジにより、中心線方向及び垂直線方向に加わる応力に対して補強される。
【００１６】
上記のフレームの他の好適な例では、前記複数の取り付け部は第１乃至第３の取り付け部を含み、前記外周部を平面的に見たときに、前記第１の取り付け部は時計方向で１２時に対応する位置に、前記第２の取り付け部は時計方向で３時〜６時の間に対応する位置に、前記第３の取り付け部は時計方向で６時〜９時の間に対応する位置に夫々配置されており、前記第１及び前記第２のブリッジの一端は、各々前記第１の取り付け部に対応する位置に配置されており、前記第１のブリッジの他端は、前記第３の取り付け部に対応する位置に、前記第２のブリッジの他端は、前記第２の取り付け部に対応する位置に各々配置される。これにより、外周部のあらゆる方向からの応力に対してフレームの強度を向上させることができる。
【００１７】
この場合の好適な例では、前記第１のブリッジは、前記第１の取り付け部と前記第３の取り付け部を結ぶ直線上に位置していると共に、前記第２のブリッジは、前記第１の取り付け部と前記第２の取り付け部を結ぶ直線上に位置する。複数の取付部は車両の取付パネルなどの被取付部に対して固定されるので、ブリッジの両端を取付部と対応させることにより、ブリッジはより確実にフレームの強度を向上させることができる。
【００１８】
上記のフレームの他の一態様では、前記第１及び前記第２のブリッジは、各々湾曲状に且つアーチ状の形状に形成されている。これにより、各ブリッジに作用する応力は、ブリッジ上の一点に集中することなく、ブリッジ全体に分散されるので、より大きな応力に対応することが可能となる。
【００１９】
上記のスピーカー装置用のフレームを備えるスピーカー装置を構成することができる。
【実施例】
【００２０】
以下、図面を参照して本発明の好適な実施例について説明する。本実施例は、複数のアーム部と被取付部に取り付けられる取り付け部との有機的な関連性（規則性）等を考慮してフレームを設計することにより、フレームの強度向上を図り、フレームの歪みを防止して、音質が歪み易くなるのを防止する。
【００２１】
[スピーカー装置の構成]
まず、図１乃至図５を参照して、本発明の実施例に係るスピーカー装置１００の構成等について説明する。
【００２２】
図１は、本発明の実施例に係るスピーカー装置１００を、その放音側から見たときのスピーカー装置１００の斜視図を示す。図２は、スピーカー装置１００を、その放音側と逆側、即ち背面側から見たときのスピーカー装置１００の斜視図を示す。図３は、スピーカー装置１００を、その放音側から見たときのスピーカー装置１００の正面図を示す。図４は、スピーカー装置１００を、その放音側と逆側、即ち背面側から見たときのスピーカー装置１００の背面図を示す。図５は、スピーカー装置１００（又はフレーム１）の中心軸Ｌ１に対して紙面右側にスピーカー装置１００の断面図を、その中心軸Ｌ１に対して紙面左側にスピーカー装置１００の側面図を夫々示す。また、図５に示される片側断面図は、図３におけるスピーカー装置１００の切断線Ｘ１−Ｘ２に沿った断面図である。図５に示される片側側面図は、図３において、スピーカー装置１００の中心軸Ｌ１を通る平面Ｓ１と、その中心軸Ｌ１を通り平面Ｓ１に垂直な平面Ｓ２との間におけるスピーカー装置１００の側面部分Ｅ１に対応している。
【００２３】
本実施例のスピーカー装置１００は、車載用スピーカー装置として好適に用いることができる。スピーカー装置１００は、スピーカーユニット５０を、フレーム１に取り付けることにより構成される。
【００２４】
スピーカーユニット５０は、ヨーク２、マグネット３及びプレート４を有する磁気回路系２０と、ボイスコイルボビン５、ボイスコイル６、ダンパー７、振動板８、エッジ９及びキャップ１０を有する振動系３０と、を備えている。
【００２５】
まず、磁気回路系２０の各構成要素について説明する。
【００２６】
磁気回路系２０は、内磁型の磁気回路として構成されている。
【００２７】
ヨーク２は、略壺状の形状をなしている。ヨーク２は、円板状のマグネット３を載置するための第１平坦部２ａと、その第１平坦部２ａの略中心に形成された開口２ｂと、その第１平坦部２ａの外周部と連結された第１円筒部２ｃと、その第１円筒部２ｃの下端部と連結された第２平坦部２ｄと、その第２平坦部２ｄの外周部と連結された第２円筒部２ｅと、その第２円筒部２ｅの上端部と連結され当該上端部から外側に延在するフランジ部２ｆとを有し、それらの各要素は一体的に形成されている。
【００２８】
第１平坦部２ａの上面は平坦性を有している。開口２ｂは、磁気回路系２０で発生した熱を外部へ放熱する機能を有している。第１円筒部２ｃは、円筒状の形状をなしている。図５において、第１円筒部２ｃを矢印Ｙ１方向に所定の長さを有するように形成することにより、振動系３０の要素と、マグネット３及びプレート４との相対的な位置関係を調整することができる。第２平坦部２ｄの下面は平坦性を有している。第２平坦部２ｄは、第１円筒部２ｃと第２円筒部２ｅとの間に一定の間隙を形成する役割を担う。第２円筒部２ｅは、円筒状の形状をなし、第１円筒部２ｃの外側に配置されている。第２円筒部２ｅは、当該第２円筒部２ｅの内周壁と、マグネット３及びプレート４の各外周壁との間に磁気ギャップ１２を形成する機能を有している。フランジ部２ｆは、フレーム１の要素である磁気回路収容部１ａに固定される部位である。フランジ部２ｆを磁気回路収容部１ａに取り付けることにより、磁気回路系２０を磁気回路収容部１ａ内に収容することができる。
【００２９】
マグネット３は、円板状の形状をなし、ヨーク２の第１平坦部２ａ上に取り付けられている。マグネット３上には、当該マグネット３と略同一の径を有する、円板状のプレート４が取り付けられている。
【００３０】
このような構成を有する磁気回路系２０では、マグネット３及びプレート４等により磁気回路を構成し、プレート４の外周壁と第２円筒部２ｅの内周壁との間に形成される磁気ギャップ１２にマグネット３の磁束を集中させている。
【００３１】
次に、振動系３０の各構成要素について説明する。
【００３２】
ボイスコイルボビン５は、略円筒状の形状をなしている。ボイスコイルボビン５の外周壁の下端部近傍には、後述するボイスコイル６が巻かれている。ボイスコイルボビン５の内周壁の下端部近傍は、マグネット３及びプレート４の各外周壁と一定の間隔をおいて対向している。一方、ボイスコイルボビン５の外周壁の下端部近傍は、ヨーク２の要素である第２円筒部２ｅの内周壁の上端部近傍と一定の間隔をおいて対向している。そして、第２円筒部２ｅの内周壁と、プレート４等の外周壁との間に空隙（磁気ギャップ１２）が形成されている。
【００３３】
ボイスコイル６は、１つの配線からなり、図４に示すように、プラスのリード線６ａ及びマイナスのリード線６ｂを夫々有している。プラス側のリード線６ａはＬ（又はＲ）チャンネル信号の入力配線であり、マイナス側のリード線６ｂはグランド（ＧＮＤ：接地）信号の入力配線である。リード線６ａ、６ｂは、フレーム１に設けられた端子部１ｄに電気的に接続されている。また、端子部１ｄは、図示しないアンプ側の出力側の配線にも電気的に接続される。これにより、ボイスコイル６には、端子部１ｄ並びにリード線６ａ及び６ｂを介してアンプ側から１チャンネル分の信号や電力が入力される。
【００３４】
ダンパー７は、環状の形状をなし、同心円状に波型が形成された弾性部を有している。ダンパー７の内周縁部は、ボイスコイルボビン５の外周壁の上端部近傍に取り付けられている。一方、ダンパー７の外周縁部は、磁気回路収容部１ａの外周部に取り付けられている。
【００３５】
振動板８には、各種の用途に応じ、紙系、高分子系、金属系などの各種の材料を適用することができる。振動板８は、コーン状の形状をなしている。振動板８の内周縁部は、ボイスコイルボビン５の外周壁の上端部近傍に且つダンパー７の上側に取り付けられている。一方、振動板８の外周縁部は、環状の形状をなすエッジ９の内周縁部に取り付けられている。エッジ９の外周縁部は、フレーム１の外周部１ｃ上に取り付けられている。なお、本例では、振動板８とエッジ９を夫々独立に形成するようにしているが、これに限らず、本発明では、振動板８とエッジ９を一体的に形成するようにしても構わない。
【００３６】
キャップ１０は、略ドーム状の形状をなし、ボイスコイルボビン５の上面を閉塞するように、当該ボイスコイルボビン５の外周壁に取り付けられている。これにより、粉塵や異物などがスピーカーユニット５０の内部へ侵入するのを防止する機能を有している。
【００３７】
フレーム１は、金属や樹脂などの各種の材料にて形成される。スピーカー装置１００の軽量化を図る場合には、フレーム１は樹脂材料にて形成するのが好ましい。フレーム１は、主として、磁気回路収容部１ａと、その磁気回路収容部１ａの外側に且つ上側に配置された外周部１ｃと、磁気回路収容部１ａと外周部１ｃを連結する複数のアーム部１ｂと、磁気回路収容部１ａの外周部付近に設けられた端子部１ｄとを有し、それらの各要素は一体的に形成されている。また、フレーム１において、磁気回路収容部１ａと外周部１ｃの間には開口１ｆが形成されている。
【００３８】
磁気回路収容部１ａは、略椀状の形状をなし、開口１ａａ、切り欠き部１ａｂ及び複数の固定部１ａｃを有している。開口１ａａの径は、ヨーク２の第２円筒部２ｅの外径と略同一になっている。開口１ａａは、図５においてスピーカー装置１００の中心軸Ｌ１方向を縦方向としたときに、磁気回路収容部１ａの縦方向の略中心に対応する位置に形成されている。各切り欠き部１ａｂは、磁気回路収容部１ａの外周壁の一部を除去することにより形成され、その外周壁付近に且つ適宜の間隔をおいて形成されている。各固定部１ａｃは、開口１ａａ付近に且つ切り欠き部１ａｂに対応する位置に形成されている。また、固定部１ａｃの各々は、その開口１ａａの周方向に沿って且つ適宜の間隔をおいて形成されている。
【００３９】
各アーム部１ｂの一端は、磁気回路収容部１ａの外周壁に取り付けられていると共に、各アーム部１ｂの他端側は、外周部１ｃの内周壁に取り付けられている。
【００４０】
外周部１ｃは、略環状の形状をなし、磁気回路収容部１ａ及び複数のアーム部１ｂの外側に設けられている。外周部１ｃには、エッジ９の外周部やクッション部材４０、４１等が取り付けられる。外周部１ｃは、スピーカー装置１００を、例えば車両ドアのインナーパネルなどの被取付部に取り付けるための取り付け部１ｃａ、１ｃｂを有している。
【００４１】
取り付け部１ｃａは、ボルトを挿入するための挿入口であり、外周部１ｃにおいて端子部１ｄと逆側の位置に設けられている。取り付け部１ｃｂは、爪状の形状をなし、外周部１ｃの下面側において取り付け部１ｃａと逆側の位置に且つ端子部１ｄ付近に複数設けられている。また、１つの取り付け部１ｃｂと、他の取り付け部１ｃｂとは一定の間隔をおいて外周部１ｃの下面側に設けられている。
【００４２】
外周部１ｃの上面、及び、外周部１ｃの下面の一部分には、クッション性を有し、棒状の形状を有するクッション部材４０が略円形形状に変形された状態で貼り付けられている。クッション部材４０としては、例えば、スポンジやウレタンなどの弾性を有する部材が好ましい。また、複数の取り付け部１ｃｂ側の外周部１ｃの下面の他の一部分には、クッション部材４０と同一の材料からなり且つ図示の形状を有するクッション部材４１が貼り付けられている。クッション部材４０及び４１の一方の面には、粘着性のあるシールが印刷、若しくは接着剤が塗布されている。
【００４３】
以上に述べたスピーカーユニット５０は、次のようにしてフレーム１に取り付けられている。図５において、振動系３０の要素であるボイスコイルボビン５及びキャップ１０が、磁気回路収容部１ａの開口１ａａに矢印Ｙ１方向から挿入され、そのボイスコイルボビン５の上端部及びキャップ１０が振動板８の放音側の面の上方に配置された状態で、ヨーク２の要素であるフランジ部２ｆが、磁気回路収容部１ａに設けられた複数の固定部１ａｃに固定されている。こうして、スピーカーユニット５０は、フレーム１の適切な位置に取り付けられ、スピーカー装置１００が構成されている。
【００４４】
以上の構成を有するスピーカー装置１００において、アンプ側から出力された信号や電力は、端子部１ｄ、及びボイスコイル６のリード線６ａ、６ｂを介して、ボイスコイル６へ入力される。これにより、磁気ギャップ１２内でボイスコイル６に駆動力が発生し、図５において振動板８等をスピーカー装置１００の中心軸Ｌ１方向に振動させる。こうして、スピーカー装置１００は、図５の矢印Ｙ１方向に音波を放射する。
【００４５】
（フレームの構造）
次に、図６等を参照して、本発明の特徴をなすフレーム１の構造について説明する。図６はフレームの背面図を示す。
【００４６】
フレーム１の基本的な構成は上記した通りであるので、以下では、本発明と関係があるフレーム１の要素を中心に説明する。
【００４７】
フレーム１は、車両ドアのインナーパネルなどの被取付部に取り付けるための１つの取り付け部１ｃａ及び複数の取り付け部１ｃｂ、並びに、磁気回路収容部１ａと外周部１ｃとを連結する複数のアーム部１ｂを備えている。
【００４８】
１つの取り付け部１ｃａは、外周部１ｃにおいて、端子部１ｄと逆側の位置に設けられている。具体的には、１つの取り付け部１ｃａは、フレーム１を平面視したときに、時計方向で１２時に対応する位置に設けられている。その１つの取り付け部１ｃａの中心Ｐ１は、フレーム１の中心Ｏを通る中心線Ｌ２上に位置している。
【００４９】
複数の取り付け部１ｃｂのうち、１つの取り付け部１ｃｂは、外周部１ｃの下面６１側において、中心線Ｌ２より紙面左側の位置に、且つ、フレーム１の中心Ｏを通り中心線Ｌ２に垂直な直線Ｌ５より紙面下側の位置に設けられている。具体的には、当該１つの取り付け部１ｃｂは、図６に示すように、フレーム１を背面側から平面視したときに、外周部１ｃの下面６１において、時計方向で６時〜９時の間に対応する位置に設けられている。一方、複数の取り付け部１ｃｂのうち、他の１つの取り付け部１ｃｂは、フレーム１を背面側から平面視したときに、外周部１ｃの下面６１側において、中心線Ｌ２より紙面右側の位置に、且つ、直線Ｌ５より紙面下側の位置に設けられている。具体的には、当該他の１つの取り付け部１ｃｂは、図６に示すように、フレーム１を背面側から平面視したときに、外周部１ｃの下面６１において、時計方向で３時〜６時の間に対応する位置に設けられている。以上の構成により、当該１つの取り付け部１ｃｂと当該他の１つの取り付け部１ｃｂは、中心線Ｌ２に対して対称的な位置関係にある。
【００５０】
複数のアーム部１ｂは、少なくともアーム部８０〜８７を備えて構成される。
【００５１】
ここで、図６において、取り付け部１ｃａの中心Ｐ１と、中心線Ｌ２に対して紙面左側に位置する１つの取り付け部１ｃｂとを結ぶ直線を直線Ｌ３とする。また、取り付け部１ｃａの中心Ｐ１と、中心線Ｌ２に対して紙面右側に位置する他の１つの取り付け部１ｃｂとを結ぶ直線を直線Ｌ４とする。直線Ｌ３と直線Ｌ４は、中心線Ｌ２に対して対称的な位置関係にある。
【００５２】
アーム部８０は、中心線Ｌ２より紙面左側の位置に且つ直線Ｌ５より紙面上側の位置に配置されている。アーム部８０の外周側端は、取り付け部１ｃａの近傍位置に且つ中心線Ｌ２より紙面左側の位置に対応する、外周部１ｃの内周壁に結合されている。即ち、アーム部８０の外周側端の延長線と外周部１ｃとの交点は取り付け部１ｃａに一致している。一方、アーム部８０の内周側端は、紙面上側に存在する切り欠き部１ａｂの近傍位置に且つ中心線Ｌ２より紙面左側の位置に対応する、磁気回路収容部１ａの外周壁に結合されている。また、アーム部８０は、図２及び図６に示すように、紙面手前側（背面側）に凸となるように湾曲状に形成されている。
【００５３】
アーム部８３は、中心線Ｌ２より紙面左側の位置に且つ直線Ｌ５より紙面下側の位置に配置されている。アーム部８３の外周側端は、紙面左側に存在する取り付け部１ｃｂの近傍位置に対応する、外周部１ｃの内周壁に結合されている。即ち、アーム部８３の外周側端の延長線と外周部１ｃとの交点は、紙面左側に位置する取り付け部１ｃｂに一致している。一方、アーム部８３の内周側端は、紙面左側に存在する切り欠き部１ａｂに対応する、磁気回路収容部１ａの外周壁に結合されている。また、アーム部８３は、図２及び図６に示すように、紙面手前側（背面側）に凸となるように湾曲状に形成されている。
【００５４】
そして、アーム部８０とアーム部８３とは直線的な位置関係にある。具体的には、フレーム１を平面視したときに、アーム部８０とアーム部８３は直線Ｌ３上に位置している。このため、一組のアーム部８０とアーム部８３とを磁気回路収容部１ａを挟んで直線状の１つのブリッジ（以下、「第１ブリッジ」と呼ぶ）と看做した場合、その第１ブリッジは、取り付け部１ｃａと、紙面左側に位置する取り付け部１ｃｂとを直線的に結んでいる。つまり、その第１ブリッジの一端（アーム部８０の外周側端に相当）の延長線と外周部１ｃとの接点は、取り付け部１ｃａの位置に一致していると共に、その第１ブリッジの他端（アーム部８３の外周側端に相当）の延長線と外周部１ｃとの接点は、紙面左側に位置する取り付け部１ｃｂの位置に一致している。また、その第１ブリッジは、湾曲状に且つアーチ状に形成されている。
【００５５】
アーム部８７は、中心線Ｌ２より紙面右側の位置に且つ直線Ｌ５より紙面上側の位置に配置されている。アーム部８７の外周側端は、取り付け部１ｃａの近傍位置に且つ中心線Ｌ２より紙面右側の位置に対応する、外周部１ｃの内周壁に結合されている。即ち、アーム部８７の外周側端の延長線と外周部１ｃとの交点は取り付け部１ｃａに一致している。一方、アーム部８７の内周側端は、紙面上側に存在する切り欠き部１ｃａの近傍位置に且つ中心線Ｌ２より紙面右側の位置に対応する、外周部１ｃの内周壁に結合されている。また、アーム部８７は、図２及び図６に示すように、紙面手前側（背面側）に凸となるように湾曲状に形成されている。また、アーム部８７は、アーム部８０と同様の形状をなしている。
【００５６】
アーム部８４は、中心線Ｌ２より紙面右側の位置に且つ直線Ｌ５より紙面下側の位置に配置されている。アーム部８４の外周側端は、紙面右側に存在する取り付け部１ｃｂの近傍位置に対応する、外周部１ｃの内周壁に結合されている。即ち、アーム部８４の外周側端の延長線と外周部１ｃとの交点は、紙面右側に位置する取り付け部１ｃｂに一致している。一方、アーム部８４の内周側端は、紙面右側に存在する切り欠き部１ａｂに対応する、磁気回路収容部１ａの外周壁に結合されている。また、アーム部８３は、図２及び図６に示すように、紙面手前側（背面側）に凸となるように湾曲状に形成されている。また、アーム部８４は、アーム部８３と同様の形状をなしている。
【００５７】
そして、アーム部８７とアーム部８４とは直線的な位置関係にある。具体的には、フレーム１を平面視したときに、アーム部８７とアーム部８４は直線Ｌ４上に位置している。このため、一組のアーム部８７とアーム部８４とを磁気回路収容部１ａを挟んで直線状の１つのブリッジ（以下、「第２ブリッジ」と呼ぶ）と看做した場合、その第２ブリッジは、取り付け部１ｃａと、紙面右側に位置する取り付け部１ｃｂとを直線的に結んでいる。つまり、その第２ブリッジの一端（アーム部８７の外周側端に相当）の延長線と外周部１ｃとの接点は、取り付け部１ｃａの位置に一致していると共に、その第２ブリッジの他端（アーム部８４の内周側端に相当）の延長線と外周部１ｃとの接点は、紙面右側に位置する取り付け部１ｃｂの位置に一致している。また、その第２ブリッジは、第１ブリッジと同一の形状に形成されている。また、第２ブリッジと第１ブリッジは、中心線Ｌ２に対して対称的な位置に配置されている。
【００５８】
また、第１ブリッジと、第２ブリッジと、紙面左側に存在する取り付け部１ｃｂと紙面右側に存在する取り付け部１ｃｂとの間に位置する外周部１ｃとにより囲まれる領域は、略三角形の形状をなす領域となっている。換言すれば、この略三角形の領域は、平面視したときに円形形状をなす外周部１ｃの内周壁に内接している。
【００５９】
アーム部８１は、中心線Ｌ２より紙面左側の位置に且つ直線Ｌ５より紙面上側の位置に配置されている。アーム部８１の外周側端は、直線Ｌ６上に位置する外周部１ｃの内周壁に結合されていると共に、アーム部８１の内周側端は、直線Ｌ６上に位置する磁気回路収容部１ａの外周壁に結合されている。ここで、直線Ｌ６は、直線Ｌ５に平行な直線であり、且つ、その直線Ｌ５から紙面上側に距離Ｄ２０だけ離れた位置に存在する直線である。また、アーム部８１は、湾曲状ではなく、略直線状の形状をなしている。
【００６０】
アーム部８６は、中心線Ｌ２より紙面右側の位置に且つ直線Ｌ５より紙面上側の位置に配置されている。アーム部８６の外周側端は、直線Ｌ６上に位置する外周部１ｃの内周壁に結合されていると共に、アーム部８６の内周側端は、直線Ｌ６上に位置する磁気回路収容部１ａの外周壁に結合されている。アーム部８６は、アーム部８１と同一の形状をなしている。また、アーム部８１とアーム部８６は直線的な位置関係にある。具体的には、一組のアーム部８１とアーム部８６とを磁気回路収容部１ａを挟んで直線状の１つのブリッジ（以下、「第３ブリッジ」と呼ぶ）と看做した場合、その第３ブリッジは、中心線Ｌ２に対して垂直な直線Ｌ６上に位置している。
【００６１】
アーム部８２は、中心線Ｌ２より紙面左側の位置に且つ直線Ｌ５より紙面下側の位置に配置されている。アーム部８２の外周側端は、直線Ｌ７上に位置する外周部１ｃの内周壁に結合されていると共に、アーム部８２の内周側端は、直線Ｌ７上に位置する磁気回路収容部１ａの外周壁に結合されている。ここで、直線Ｌ７は、直線Ｌ５に平行な直線であり、且つ、その直線Ｌ５から紙面下側に距離Ｄ２１だけ離れた位置に存在する直線である。好適な例では、距離Ｄ２１と距離Ｄ２０と同一の長さに設定することができる。アーム部８２は、アーム部８１と同一の形状をなしている。
【００６２】
アーム部８５は、中心線Ｌ２より紙面右側の位置に且つ直線Ｌ５より紙面下側の位置に配置されている。アーム部８５の外周側端は、直線Ｌ７上に位置する外周部１ｃの内周壁に結合されていると共に、アーム部８５の内周側端は、直線Ｌ７上に位置する磁気回路収容部１ａの外周壁に結合されている。アーム部８５は、アーム部８２と同一の形状をなしている。また、アーム部８２とアーム部８５とは直線的な位置関係にある。具体的には、一組のアーム部８２とアーム部８５とを磁気回路収容部１ａを挟んで直線状の１つのブリッジ（以下、「第４ブリッジ」と呼ぶ）と看做した場合、その第４ブリッジは、中心線Ｌ２に対して垂直な直線Ｌ７上に位置している。
【００６３】
このような構成を有する本発明の本実施例は、以下に想定する比較例に比べて有利な作用効果を奏する。
【００６４】
まず、比較例の構成について簡単に述べる。比較例に係るフレームは、磁気回路を保持する磁気回路収容部と、その磁気回路収容部の外側に且つ上側に配置され、スピーカー装置を被取付部に取り付けるための複数の取り付け部を有する外周部と、磁気回路収容部と外周部を連結する、直線状の形状を有する複数のアーム部とを備えて構成される。
【００６５】
特に、比較例では、各アーム部は、磁気回路収容部と外周部との間において、放射状に且つフレームの中心方向に延在するように配置されている。また、各取り付け部は、外周部上に形成されているが、外周部において各アーム部の延長上に形成されていない。つまり、比較例に係るフレームは、複数のアーム部と、複数の取り付け部との有機的な関連性（規則性）を考慮して設計されていない。
【００６６】
このような構成を有するフレームをスピーカー装置に適用した場合、以下のような問題が生じる虞がある。即ち、かかるスピーカー装置では、その駆動時、振動板等の振動に伴って、その反作用により磁気回路が振動板と逆方向に振動し、その磁気回路に生じた振動は各アーム部を介して外周部へ伝達される。これにより、フレーム全体に歪みが生じ、これに起因して音質が歪み易くなってしまうという問題がある。
【００６７】
これに対して、本発明のフレーム１では、複数のアーム部１ｂと、複数の取り付け部１ｃａ及び１ｃｂとの有機的な関連性（規則性）を考慮して、フレーム１を設計している。
【００６８】
具体的には、まず、本発明では、フレーム１を平面的に見たときに、アーム部８０とアーム部８３とが同一直線上に位置するように、及び、アーム部８７とアーム部８４とが同一直線上に位置するように、それらを磁気回路収容部１ａと外周部１ｃの間に配置している。また、アーム部８０の外周側端の延長線と外周部１ｃとの交点、及び、アーム部８７の外周側端の延長線と外周部１ｃとの交点を、夫々取り付け部１ｃａに一致させている。また、アーム部８３の外周側端側の延長線と外周部１ｃの交点を、図６において取り付け部１ｃａの中心Ｐ１とフレーム１の中心Ｏを通る中心線Ｌ２より紙面左側に配置された取り付け部１ｃｂの位置に一致させている。また、アーム部８４の外周側端の延長線と外周部１ｃとの交点を、図６において中心線Ｌ２より紙面右側に配置された取り付け部１ｃｂの位置に一致させている。
【００６９】
このため、一組のアーム部８０とアーム部８３とを磁気回路収容部１ａを挟んで直線状の１つのアーム（第１ブリッジ）と看做し、また、一組のアーム部８７とアーム部８４とを磁気回路収容部１ａを挟んで直線状の１つのアーム（第２ブリッジ第２ブリッジ）と看做した場合、第１ブリッジと第２ブリッジは、中心線Ｌ２に対して対称的な位置関係にある。これにより、第１ブリッジと、第２ブリッジと、図６において紙面左側に存在する取り付け部１ｃｂと紙面右側に存在する取り付け部１ｃｂとの間に位置する外周部１ｃとの間には、外周部１ｃの内周壁に内接する略三角形（本例では、略二等辺三角形）の領域が形成されている。換言すれば、外周部１ｃと第１及び第２ブリッジとの間には、その外周部１ｃに内接する略三角形の領域が形成されているので、その外周部１ｃは、その内接する三角形第２ブリッジにより内側から補強されることになる。このような構成により、フレーム１の外周部１ｃに対して外部から加わる力に対する強度、特に中心線Ｌ２方向に加わる力に対する強度の向上を図ることができる。
【００７０】
また、本発明では、フレーム１を平面的に見たときに、アーム部８１とアーム部８６とが同一直線上に位置するように、また、アーム部８２とアーム部８５とが同一直線上に位置するように、それらが磁気回路収容部１ａと外周部１ｃの間に配置されている。加えて、一組のアーム部８１とアーム部８６とを磁気回路収容部１ａを挟んで直線状の第３ブリッジと看做し、また、一組のアーム部８２とアーム部８５とを磁気回路収容部１ａを挟んで直線状の第４ブリッジと看做した場合、その第３及び第４ブリッジは、夫々中心線Ｌ２に対して垂直な直線Ｌ６及びＬ７上に位置している。即ち、第３及び第４ブリッジは、フレーム１を平面的に見たときに、各々フレーム１の中心Ｏを通り且つ中心線Ｌ２に直交する直線Ｌ５の上側及び下側に設けられている。このような構成により、フレーム１の外周部１ｃに対して外部から加わる力に対する強度、特に中心線Ｌ２と垂直な方向（直線Ｌ５方向）に加わる力に対する強度の向上を図ることができる。
【００７１】
このように、本発明では、フレーム１の外周部１ｃの中心Ｏを通過せずに外周部１ｃ同士を連結した第１乃至第４ブリッジの構成により、フレーム１の外周部１ｃ全体の強度向上を図ることができる。
【００７２】
また、本発明では、上記のように、第１ブリッジの一端（アーム部８０の外周側端）及び第２ブリッジの一端（アーム部８７の外周側端）の延長線と、外周部１ｃとの交点を夫々取り付け部１ｃａに一致させていると共に、第１ブリッジの他端（アーム部８３の外周側端）の延長線と外周部１ｃとの交点を１つの取り付け部１ｃｂに一致させ、第２ブリッジの他端（アーム部８４の外周側端）の延長線と外周部１ｃとの交点を他の１つの取り付け部１ｃｂに一致させている。
【００７３】
ここで、その交点に対応する外周部１ｃの部分（即ち、取り付け部１ｃａ及び１ｃｂの部分である、以下同じ）は、車両の取付パネルなどの被取付部に固定される部分である。このため、その部分は、構造上、スピーカー装置１００の駆動時に振動し難くなる。
【００７４】
よって、スピーカー装置１００の駆動時に、上記した原理で磁気回路に生じた振動が、第１及び第２ブリッジを介して、その交点に対応する外周部１ｃの部分に伝達されたとしても、その振動は、その外周部１ｃの部分おいて減衰若しくは消滅する。これにより、スピーカー装置１００の駆動時に磁気回路に生じた振動が、フレーム１の外周部１ｃの全体に伝達されるのを抑制することができる。その結果、本発明のフレーム１をスピーカー装置１００に適用すれば、比較例に比べてフレーム１全体が歪み難くなり、これにより音質が歪み易くなるのを防止することができる。
【００７５】
また、上記したように、比較例では、複数のアーム部を直線状の形状を有するように形成しているため、スピーカー装置１００の駆動時に、各アーム部の特定部分に応力が集中し易くなり、各アーム部の強度が低下する虞がある。これに対して、本発明では、特に、第１ブリッジ及び第２ブリッジを湾曲状に且つアーチ状の形状を有するように形成しているので、スピーカー装置１００の駆動時に、比較例のように第１及び第２ブリッジの特定部分に応力が集中することがない。即ち、第１及び第２ブリッジを各々湾曲状に且つアーチ状に形成しているので、第１及び第２ブリッジにかかる応力は分散される。よって、本発明では、比較例と比べて第１及び第２ブリッジの強度向上を図ることができる。なお、本実施例では第３及び第４ブリッジは直線上に形成しているが、第３及び第４ブリッジもアーチ状に形成しても構わない。
【図面の簡単な説明】
【００７６】
【図１】本発明の実施例に係るスピーカー装置を放音側から見たときの、スピーカー装置の斜視図を示す。
【図２】本実施例に係るスピーカー装置を放音側と逆側から見たときの、スピーカー装置の斜視図を示す。
【図３】本実施例に係るスピーカー装置の正面図を示す。
【図４】本実施例に係るスピーカー装置の背面図を示す。
【図５】本実施例に係るスピーカー装置の片側断面図及び片側側面図を示す。
【図６】本発明の実施例に係るフレームの背面図を示す。
【符号の説明】
【００７７】
１  フレーム
１ｂ、８０、８１、８２、８３、８４、８５、８６、８７  アーム部
１ｃ  外周部
１ｃａ、１ｃｂ  取り付け部
２  ヨーク
３  マグネット
４  プレート
５  ボイスコイルボビン
６  ボイスコイル
７  ダンパー
８  振動板
９  エッジ
２０  磁気回路系
３０  振動系
５０  スピーカーユニット
１００  スピーカー装置
【図１】
2006229519.tif 000003
【図２】
2006229519.tif 000004
【図３】
2006229519.tif 000005
【図４】
2006229519.tif 000006
【図５】
2006229519.tif 000007
【図６】
2006229519.tif 000008